(57)【特許請求の範囲】
【請求項１】
巻線部品を検査する装置であって、
予め設定された電気を蓄えるように構成された蓄電ユニットと、
前記巻線部品と並列に接続された共振コンデンサと、
前記蓄電ユニットと前記巻線部品との間の電力供給経路上に配置され、かつ検査期間が始まったときに、前記蓄電ユニットが前記予め設定された電気を前記巻線部品に対して放出するように、オンにするように構成されたスイッチユニットと、
前記巻線部品の２つの端部に接続され、かつ前記検査期間中の前記巻線部品の電圧値に応じて測定波形を生成するように構成された測定ユニットと、
前記蓄電ユニットが前記検査期間中に前記予め設定された電気を放出する間に生成された放電電流を監視し、かつ、前記放電電流が予め設定された電流値まで低下した場合に、前記スイッチユニットをオフにし、かつ、前記スイッチユニットがオフされた後の前記測定波形に部分的に従って、共振時の前記巻線部品のインピーダンス値が異常であるか否かを判断するように構成された制御ユニットと、を備える
装置。
【請求項２】
前記制御ユニットは、前記スイッチユニットがオフにされる前の前記測定波形に部分的に従って、前記巻線部品に対する層間耐圧検査の結果が異常であるか否かを判断する、
請求項１に記載の装置。
【請求項３】
前記制御ユニットは、前記測定波形を予め設定された電圧波形と比較して、共振時の前記巻線部品のインピーダンス値が異常であるか否か、および前記巻線部品に対する前記層間耐圧検査の結果が異常であるか否かを判断する、
請求項２に記載の装置。
【請求項４】
前記検査期間中に、前記スイッチユニットがオフとなった後、前記測定波形が発振し始め、前記制御ユニットは、前記期間に関連する前記測定波形の範囲に基づいて、前記巻線部品の電圧減衰比を判断し、前記巻線部品の前記電圧減衰比に従って、共振時の前記巻線部品のインピーダンス値を判断する、
請求項２に記載の装置。
【請求項５】
前記電力供給経路は、
前記電力供給経路を介して前記蓄電ユニットが前記予め設定された電気を前記巻線部品に対して放出し、出力インピーダンスを含み、
前記制御ユニットは、前記予め設定された電気の値および前記出力インピーダンスの値に従って、前記予め設定された電流値を判断する、
請求項１に記載の装置。
【請求項６】
巻線部品を検査する方法であって、
予め設定された電気を蓄電ユニットに蓄えることと、
前記蓄電ユニットをオンにして、検査期間が始まったときに、前記蓄電ユニットが前記予め設定された電気を前記巻線部品および共振コンデンサに対して放出するように、前記蓄電ユニットと前記巻線部品との間の電力供給経路を作動可能にすることと、
前記検査期間中に、前記蓄電ユニットによって放出された前記予め設定された電気に関連する放電電流を監視することと、
前記放電電流が予め設定された電流値まで低下した場合に、前記電力供給経路を作動不能にすることと、
前記検査期間中の前記巻線部品の２つの端部間の電圧値に応じて測定波形を生成することと、
前記電力供給経路が作動不能にされた後の前記測定波形に部分的に従って、共振時の前記巻線部品のインピーダンス値が異常であるか否かを判断することと、を含む、
方法。
【請求項７】
さらに、前記電力供給経路が作動不能にされる前の前記測定波形に部分的に従って、前記巻線部品に対する層間耐圧検査の結果が異常であるか否かを判断すること、を含む、
請求項６に記載の方法。
【請求項８】
前記共振時の前記巻線部品のインピーダンス値が異常であるか否かを判断し、前記巻線部品に対する層間耐圧検査の結果が異常であるか否かを判断することは、
前記測定波形を、予め設定された電圧波形と比較することと、
前記比較結果に従って、前記電力供給経路が作動不能にされた後の共振時の前記巻線部品のインピーダンス値が異常であるか否かを判断し、前記巻線部品に対する前記層間耐圧検査の結果が異常であるか否かを判断することと、を含む、
請求項７に記載の方法。
【請求項９】
前記電力供給経路が作動不能となった後、前記測定波形が発振し始め、前記期間に関連する前記測定波形の範囲に基づいて前記巻線部品の電圧減衰比が判断され、かつ、前記巻線部品の前記電圧減衰比に従って共振時の前記巻線部品のインピーダンス値が判断される、
請求項７に記載の方法。
【請求項１０】
前記電力供給経路は出力インピーダンスを含み、
前記方法は、前記予め設定された電気の値と前記出力インピーダンスの値とに従って、前記予め設定された電流値を判断することをさらに含む、
請求項６に記載の方法。
【発明の詳細な説明】
【技術分野】
【０００１】
本開示は、巻線部品を検査する装置および方法に関し、より具体的には、共振中の巻線部品のインピーダンス値が異常であるか否かを判断するために巻線部品を検査する装置および方法に関する。
【背景技術】
【０００２】
電子製品に適用されるインダクタ、モータ、または、コイルを有するその他の電子部品等の巻線部品には、コイルの自己絶縁性が弱い等の潜在的な欠点がある可能性がある。弱い絶縁性は、短期間における巻線部品の機能にとっては重要ではない可能性があるが、その巻線部品が長期間にわたって使用されている場合には、その製品の安定性および寿命に影響を与える可能性がある。そのため、巻線部品の品質を、層間耐圧テスタによって検査しなければならない。層間耐圧テスタは、連続高周波高電圧テストまたはインパルステストとすることができ、この場合、その２つの端部に所定の高電圧が印加されているコイルに、絶縁破壊または放電が生じているか否かの判断が行われる。
【０００３】
物質的な抵抗により加熱されているコイルに蓄えられたエネルギが消費される可能性があるため、弱い絶縁性を有する材料で形成されたコアを有するいくつかの巻線部品は、蓄電と電力消費との間に比較的低い比、すなわち、品質係数Ｑを有する。通常、比較的低い品質係数Ｑを有する巻線部品は検査で見つけ出さなければならず、その場合、それらの不適格な巻線部品は、さらに機械加工され、または改善され、または廃棄されることになる。従来の層間耐圧検査はどの巻線部品が低い品質係数Ｑを有しているかを見つけ出すことができず、その結果、巻線部品はより複雑な検査を受ける必要がある。
【発明の概要】
【発明が解決しようとする課題】
【０００４】
本開示は、従来の層間耐圧検査が、どの巻線部品が比較的低い品質係数Ｑを有しているかを見つけ出すことができないということを解決するために、巻線部品を検査する装置および方法を提供することを目的としている。
【課題を解決するための手段】
【０００５】
本開示の一実施形態によれば、本開示は、巻線部品を検査する装置および方法を提供する。その装置は、蓄電ユニットと、共振コンデンサと、スイッチユニットと、測定ユニットと、制御ユニットとを含む。蓄電ユニットは、予め設定された電気を蓄える。スイッチユニットは、蓄電ユニットと巻線部品との間の電力供給経路上に配置されている。検査期間が始まると、スイッチユニットがオンにされ、および蓄電ユニットが、予め設定された電気を巻線部品および共振コンデンサに対して放出する。測定ユニットは、巻線部品の２つの端部に接続され、および検査期間中の巻線部品の電圧値に従って測定波形を生成する。検査期間中、制御ユニットは、蓄電ユニットによって放出された、予め設定された電気に関連する放電電流を監視し、放電電流の電流値が、予め設定された電流値まで低下したときに、スイッチユニットをオフにする。制御ユニットは、測定波形に従って、共振時の巻線部品のインピーダンス値が異常であるか否かを判断する。
【０００６】
本開示における巻線部品を検査する上記の装置および方法を考慮すると、蓄電ユニットが、層間耐圧検査のために、予め設定された電気を巻線部品に供給し、および予め設定された電気に関連する電流の値が予め設定された電流値に達した場合、それを介して蓄電ユニットが予め設定された電気を巻線部品に供給する電力供給経路は、その巻線部品に関連する測定波形が発振し始めるようにカットオフされる。発振を伴うこの測定波形に従って、共振時の巻線部品のインピーダンス値が異常であるか否かの判断が行われ、その結果、巻線部品の品質係数Ｑが標準的であるか否かを判断することができる。
【図面の簡単な説明】
【０００７】
本開示は、本明細書において以下に示す詳細な説明と、単に例示として示され、そのため本開示を制限するものではない添付図面から、より十分に理解されることになるであろう。
【図１】本開示の実施形態による巻線部品を検査する方法のフローチャートである。
【図２】本開示の実施形態による巻線部品を検査する装置の模式回路図である。
【図３】本開示の実施形態による放電電流の電流曲線および測定波形の模式図である。
【図４】本開示の別の実施形態による測定波形に関連する範囲の模式図である。
【図５】本開示の別の実施形態による放電電流の電流曲線および測定波形の模式図である。
【発明を実施するための形態】
【０００８】
以下の詳細な説明においては、説明目的のため、開示した実施形態の完璧な理解を与えるために、多くの具体的な詳細が記載されている。しかし、それらの具体的な詳細を要することなく、一つ以上の実施形態を実施できることは明らかであろう。他の例では、図を簡略化するために、周知の構造および装置が模式的に図示されている。
【０００９】
図１は、本開示の実施形態による巻線部品を検査する方法のフローチャートである。図１に図示されているように、この方法は、さまざまな巻線部品、例えばモータ、インダクタ、変換器、発電機、または一つ以上のコイルを有する他の部品を検査するのに用いることができる。かかる検査方法は、巻線部品を検査するために、以下のステップを含む。ステップＳ１０１において、予め設定された電気が蓄電ユニットに蓄えられる。ステップＳ１０３において、巻線部品がその間に検査される検査期間が始まると、蓄電ユニットが、予め設定された電気を、巻線部品および共振コンデンサに対して放出するように、蓄電ユニットと巻線部品との間の電力供給経路が作動可能にされる。蓄電ユニットによって出力される予め設定された電気は、例えば高周波で高電位の電気または高電位パルスの電気である。
【００１０】
ステップＳ１０５において、上記の検査期間中に、蓄電ユニットによって放出された予め設定された電気の放電電流が監視され、かつ、ステップＳ１０７において、放電電流の電流値が予め設定された電流値まで低下した場合に、その電力供給経路が作動不能にされる。本願明細書においては、巻線ユニットおよび共振コンデンサによって形成された発振ループは、巻線部品の２つの端部間の電圧値の発振を引き起こし、また、上記の検査期間は、巻線部品の２つの端部間の電圧値が約０Ｖまで低下するまで終了しない。ステップＳ１０９では、検査期間中の巻線部品に関する電圧値に従って、測定波形が生成される。例えば、測定波形は上記の検査期間中にリアルタイムで生成されるか、または上記の検査期間が終わった後に生成されるが、この実施形態はそれに限定されない。次いで、ステップＳ１１１において、測定波形は、共振時の巻線部品のインピーダンス値が異常であるか否かを判断するための基準として機能する。
【００１１】
上記の方法においては、巻線部品は、一つ以上の等価コンデンサと、一つ以上の等価インダクタと、一つ以上の等価インピーダンスとを含むため、上記の予め設定された電気が巻線部品および共振コンデンサに供給された場合、その共振コンデンサに電気を蓄えることができ、その結果、蓄電ユニットによって巻線部品に与えられた電力供給経路がカットオフされる場合、共振コンデンサに蓄えられた電気が放出される。このことは、巻線部品の２つの端部間の電圧値の発振を引き起こす。さらに、巻線部品が共振周波数で機能するため、巻線部品の等価コンデンサによって生じるインピーダンスは、巻線部品の等価インダクタによって生じたインピーダンスによってオフセットされ、等価インピーダンスのみが巻線部品の品質係数に影響を与える。そのため、巻線部品が共振した場合、巻線部品の２つの端部間の電圧値の変動は、巻線部品の品質係数が関連する標準値に適合するか否かを判断するために、共振時の巻線部品のインピーダンス値を判断するため、または共振時の巻線部品のインピーダンス値が異常であるか否かを判断するため、またはそのインピーダンス値が関連する標準値に適合するか否かを判断するために用いることができる。この実施形態では、共振時の標準的な巻線部品は標準的なインピーダンス値を有しているため、共振している検査中の巻線部品のインピーダンス値と、関連する標準的なインピーダンス値との間の差が関連する標準範囲を越えた場合、それは、共振時の巻線部品のインピーダンス値が異常であることを示している。
【００１２】
次に、図２を参照する。図２は、本開示の実施形態による巻線部品を検査する装置の模式回路図である。この実施形態では、検査装置２０は、蓄電ユニット２１と、共振コンデンサ２３と、スイッチユニット２５と、測定ユニット２７と、制御ユニット２９とを含む。蓄電ユニット２１は、例えば、一つ以上のコンデンサ、または、電気を蓄えることが可能な他の適当な部品である。蓄電ユニット２１の一方の端部はスイッチユニット２５に接続され、蓄電ユニット２１の他方の端部は電気ノードａに接続されている。スイッチユニット２５は、蓄電ユニット２１と電気ノードｂとの間に接続されて設けられている。電気ノードａと電気ノードｂはそれぞれ、巻線部品３０の２つの端部に接続されている。共振コンデンサ２３の２つの端部はそれぞれ、電気ノードａおよび電気ノードｂに接続され、また、共振コンデンサ２３は、巻線部品３０に並列に接続されている。測定ユニット２７は、電流分割式で巻線部品３０の２つの端部に接続されており、検査期間中の巻線部品３０の２つの端部間の電圧値に応答して測定波形を生成する。制御ユニット２９は、測定ユニット２７およびスイッチユニット２５に接続されている。制御ユニット２９は、測定ユニット２７によって生成された測定波形を有する信号を受けて、スイッチユニット２５のオンオフを制御する。この実施形態では、スイッチユニット２５は、一つ以上の金属酸化物半導体電界効果トランジスタ（ＭＯＳＦＥＴ）、一つ以上の絶縁ゲートバイポーラトランジスタ（ＩＧＢＴ）または一つ以上の機械スイッチであり、またはそれらを含む。
【００１３】
制御ユニット２９がスイッチユニット２５をオンにすると、蓄電ユニット２１と巻線部品３０との間の電力供給経路が作動可能にされ、また、制御ユニット２９がスイッチユニット２５をオフにすると、蓄電ユニット２１と巻線部品３０との間の電力供給経路が作動不能にされるか、またはカットオフされる。別の実施形態では、制御ユニット２９は、巻線部品３０が検査される前に、予め設定された電気を蓄電ユニット２１に予め蓄えることができるように、電源を制御して蓄電ユニット２１に電力を供給してもよい。この実施形態では、それを介して検査装置２０が予め設定された電気を巻線部品３０に出力する電力供給経路は、出力インピーダンスＲｉを含む。ここで、出力インピーダンスＲｉは、電力供給経路上の等価インピーダンスまたは検査装置２０の他の一つ以上の部品の等価インピーダンスであることに限定されない。
【００１４】
実施形態において、検査装置２０は、巻線部品３０が検査される前に、巻線部品３０が正しく接続されているか、または正しく設定されているかを事前にチェックする。別の実施形態では、検査装置２０は、巻線部品３０がうまく接続されているかをチェックし、その間に巻線部品３０のインダクタンスを検査して、蓄電ユニット２１によって放出される予め設定された電気に関連する電圧値を制御するために、巻線部品３０のインダクタンスに従って、蓄電ユニット２１に蓄えられる予め設定された電気の量を調節するが、本開示は、この実施形態に限定されない。
【００１５】
次に、図２および図３を参照する。図３は、本開示の実施形態による放電電流の電流曲線および測定波形の模式図である。これらの図に示されているように、検査期間が始まる時刻ｔ１にスイッチユニット２５がオンにされるため、蓄電ユニット２１は予め設定された電気を巻線部品３０に対して放出する。そのため、蓄電ユニット２１によって出力された予め設定された電気が印加された巻線部品３０は、層間耐圧検査を受ける。この実施形態では、蓄電ユニット２１は、予め設定された電気を放出している間に、共振コンデンサ２３を充電し、そして検査期間が始まると、測定ユニット２７も、巻線部品３０の２つの端部間の電圧を捉え始め、および巻線部品３０の２つの端部間の電圧値に従って、図３の底部に示す曲線ＤＵＴ２等の測定波形を生成する。蓄電ユニット２１が予め設定された電気を巻線部品３０に対して放出すると、制御ユニット２９は、蓄電ユニット２１によって放出された、予め設定された電気に関連する放電電流の監視を始め、およびこの放電電流の電流値は、図３の上側に電流曲線によって例示的に示されている。
【００１６】
検査期間の時刻ｔ２において、放電電流の電流値が予め設定された電流値まで低下しており、その結果、制御ユニット２９はスイッチユニット２５をオフにする。スイッチユニット２５がオフにされた後、測定ユニット２７は、巻線部品３０および共振コンデンサ２３によって構成された共振回路を介して、巻線部品３０の２つの端部間の電圧値を取得し、および巻線部品３０の測定波形を得て、図３の下側に曲線ＤＵＴ２によって例示的に示されているように、その波形が時刻ｔ２の後に発振を始めさせる。
【００１７】
制御ユニット２９は、スイッチユニットのターンオフの前、すなわち、図３の下側の時刻ｔ１と時刻ｔ２との間の曲線ＤＵＴ２の波形区間の、一部の測定波形に従って、巻線部品３０に対する層間耐圧検査の結果が異常であるか否かを判断する。また、制御ユニット２９は、スイッチユニットのターンオフの後、すなわち、図３の下側の時刻ｔ２の後の曲線ＤＵＴ２の波形区間の、一部の測定波形の部分に従って、共振時の巻線部品３０のインピーダンス値が異常であるか否かを判断する。
【００１８】
実際には、制御ユニット２９は、巻線部品３０に関連する測定波形を、予め設定された電圧波形、例えば、図３の下側の曲線ＤＵＴ１と比較する。制御ユニット２９は、その比較結果に従って、共振時の巻線部品３０のインピーダンス値、および共振時の巻線部品３０に対する層間耐圧検査の結果が異常であるか否かを判断する。実施形態において、制御ユニット２９は、発振時の巻線部品３０に関連する測定波形のピーク値と、それらのピークが現れる時点に従って、巻線部品３０の２つの端部間の電圧値の低下割合を判断して、巻線部品３０の２つの端部間の電圧値の低下割合に従って、共振時の巻線部品３０のインピーダンス値を判断する。
【００１９】
図３の時刻ｔ１と時刻ｔ２との間の巻線部品３０に関連する測定波形と、予め設定された電圧波形との違いが標準的な範囲内にある場合、制御ユニット２９は、巻線部品３０に対する層間耐圧検査の結果が正常であると見なす。そうでない場合、時刻ｔ２の後の巻線部品３０に関連する測定波形と、予め設定された電圧波形との違いが標準的な範囲外にある場合には、制御ユニット２９は、共振時の巻線部品３０のインピーダンス値が異常であると見なすことになる。
【００２０】
図２および図４を参照のこと。図４は、本開示の別の実施形態による測定波形に関連する範囲の模式図である。図４に図示されているように、制御ユニット２９は、複数の期間までの測定波形の範囲に基づいて、巻線部品３０の２つの端部間の電圧値の低下割合を判断することができる。例えば、測定波形に関連する範囲Ａ１〜Ａ４は、０Ｖの電圧値までの測定波形の範囲であり、制御ユニット２９は、範囲Ａ１〜Ａ４間の割合に従って、巻線部品３０の２つの端部間の電圧値の低下割合を判断し、共振時の巻線部品３０のインピーダンス値が異常であるか否かを判断するために、巻線部品３０の２つの端部間の電圧値の低下割合に従って、共振時の巻線部品３０のインピーダンス値を判断する。この実施形態では、複数の期間までの測定波形の範囲に基づいて共振時の巻線部品３０のインピーダンス値を判断することは、巻線部品３０の２つの端部間の電圧値における発振を軽減し、したがって、電圧値低下割合を判断する制御ユニット２９の結果に対する影響、または、共振時の巻線部品３０のインピーダンス値を判断する制御ユニット２９の結果に対する影響を弱めることができる。
【００２１】
たとえば、電圧の、許容される減衰速度の上限に対応する面積比が０．７である場合（すなわち、図４の面積Ａ２と、巻線部品３０の測定波形に関する面積Ａ１との比が、０．７に実質的に等しいかそれよりも大きい場合（つまり、Ａ１：Ａ２が、１：０．７と等しいか、Ａ２がそれよりも大きい場合をいう））、巻線部品３０の両端間の電圧値は、合理的な範囲内の速度で減衰している。巻線部品３０の測定波形に関する面積であるＡ１と，面積Ａ２との比が０．８程度（すなわち、Ａ１：Ａ２が１：０．８程度）であれば、共振時の巻線部品３０のインピーダンス値は正常であると判断できる。この場合、巻線部品３０は適格である。
【００２２】
しかし、巻線部品３０の測定波形に関する面積Ａ２と面積Ａ１との比が約０．６程度（Ａ１：Ａ２＝１：０．６程度）である場合には、共振時の巻線部品３０のインピーダンス値は異常であると判断される。この場合、巻線部品３０に欠陥がある。
【００２３】
このような例では、検査装置２０により良品と確認された巻線部品３０の測定波形に応じて、公差面積率（ここでは０．７である）を求めることができる。換言すれば、この認定された製品の２つの端部間の電圧の減衰速度を使用して面積比の閾値を定義する。しかしながら、本開示はこの例に限定されるものではない。本開示において実際には、共振における巻線部品３０のインピーダンス値が異常であるかどうかを決定するための基準は、上記の例だけが絶対的なものではなく、当業者であれば、様々な技術常識を採用することによって、巻線部品３０の、共振時の巻線部品３０のインピーダンス値が異常であるか否かを判定するためのその他の基準を設定することができる。
【００２４】
以下は、制御ユニット２９が、巻線部品３０に対する層間耐圧検査の結果および共振時の巻線部品３０のインピーダンス値が異常であることを判断する場合の例示的な説明である。図２および図５を参照のこと。図５は、本開示の別の実施形態による、放電電流の電流曲線および測定波形の模式図である。この実施形態では、図５の曲線ＤＵＴ３は、時刻ｔ１と時刻ｔ２との間の共振時の巻線部品３０に関連する測定波形が、予め設定された電圧波形と比較して、より速く減衰することを示している。巻線部品の２つの端部間の電圧が、約０Ｖまで素早く低下した場合、そのことは、この巻線部品が標準的な範囲内にない不十分な耐圧特性を有していることを示している。さらに、時刻ｔ２の後の巻線部品３０の２つの端部間の電圧値に対する測定波形も、予め設定された電圧波形、例えば、図５の曲線ＤＵＴ１と比較して、より速く低下する場合、共振時の巻線部品３０のインピーダンス値も異常であると見なされることになる。
【００２５】
上記の実施形態において、制御ユニット２９は、放電電流の電流値が予め設定された電流よりも小さいか否かを検出することができ、また必要に応じて、制御ユニット２９は、放電電流が予め設定された電流値まで低下する放電時間が終了するまで、スイッチユニット２５をオフにしない。例えば、予め設定された電流値は、電流ピーク値の６０％であり、かつ電流ピーク値は、蓄電ユニット２１が予め設定された電気を放出する場合に、蓄電ユニット２１に接続している電力供給経路上の出力インピーダンスＲｉの値に従って判断された放電電流の最大値である。そのため、制御ユニット２９は、蓄電ユニット２１が予め設定された電気を放出することを表す放電式に従って、蓄電ユニット２１がその予め設定された電気を放出する場合に、放電電流が予め設定された電流値まで低下するのに必要な放電時間を予め決めることができる。その後、制御ユニット２９は、スイッチユニット２５がオンになっている間、時間を計測し始め、かつスイッチユニット２５の定時がそのような放電時間に達している間はスイッチユニット２５をオフにする。
【００２６】
特定の実施形態において、予め設定された電流値は、巻線部品３０に対する層間耐圧検査のために設定される。スイッチユニット２５がオフにされた後に、巻線部品３０の２つの端部間の電圧のピーク値が層間耐圧検査における電圧ピーク値を超えることはない。また、巻線部品３０および共振コンデンサ２３における電気は、スイッチユニット２５がオフにされた後に、巻線部品３０の２つの端部間の電圧値が再び発振して、共振時の巻線部品３０のインピーダンス値が異常であるか否かを判断するのに用いられるのに十分である。
【００２７】
上記の説明を考慮すると、本開示における巻線部品を検査する装置および方法は、次のステップ、すなわち、予め設定された電気を蓄電ユニットに予め蓄えることと、蓄電ユニットの予め設定された電気を巻線部品に供給して、検査期間が始まったときに、巻線部品に対する層間耐圧検査を実施することと、それを介して蓄電ユニットが予め設定された電気を巻線部品に供給する電力供給経路が、蓄電ユニットによって出力された放電電流の値が、予め設定された電流値に達したときに、作動不能にされるように、スイッチユニットをオフにすることと、巻線部品の２つの端部間の電圧に応答して生成され、および発振を有する測定波形に従って、共振時の巻線部品のインピーダンス値が異常であるか否かを判断することと、を実行することができる。その結果、本開示は、巻線部品の品質係数Ｑが標準的であるか否かを判断することができる。そのため、本開示は、層間耐圧検査を実施することができるとともに、共振時の巻線部品のインピーダンス値が異常であるか否かをチェックすることができる。
【図１】
0006363243.tif 000002
【図２】
0006363243.tif 000003
【図３】
0006363243.tif 000004
【図４】
0006363243.tif 000005
【図５】
0006363243.tif 000006